(57)【要約】      （修正有）【課題】母親や父親などの保護者に抱っこされている乳幼児が病原菌やウイルスを含む飛沫によって感染することを予防する簡便な乳幼児感染予防衣を提供する。【解決手段】保護者に抱っこされている乳幼児が病原菌やウイルスを含む飛沫によって感染することを予防する乳幼児感染予防衣であって、保護者Ｐと保護者に抱っこされている乳幼児ｂの前側に垂らす布１と、保護者の首に掛ける紐１１から構成する。布は、保護者に抱っこされている乳幼児を覆う形状寸法にし、病原菌やウイルスを含む飛沫を通過させないバリア性にする。紐は、布が保護者に抱っこされている乳幼児を覆う状態を維持する構成にする。布又は布と紐は、不織布製にし、使い捨てにする。【選択図】図５
0003186186.tif 000002
【実用新案登録請求の範囲】
【請求項１】
母親や父親などの保護者に抱っこされている乳幼児が病原菌やウイルスを含む飛沫によって感染することを予防する乳幼児感染予防衣であって、
保護者と保護者に抱っこされている乳幼児の前側に垂らす布と、保護者の首に掛ける紐から構成し、
布は、保護者に抱っこされている乳幼児を覆う形状寸法にし、病原菌やウイルスを含む飛沫を通過させないバリア性にし、
紐は、布が保護者に抱っこされている乳幼児を覆う状態を維持する構成にしていることを特徴とする乳幼児感染予防衣。
【請求項２】
布又は布と紐は、不織布製にし、使い捨てにしていることを特徴とする請求項１に記載の乳幼児感染予防衣。
【請求項３】
不織布は、SMS不織布又はSMMS不織布にしていることを特徴とする請求項２に記載の乳幼児感染予防衣。
【請求項４】
布は、保護者の前側に配置する前側部、保護者の左側に配置する左側部と、保護者の右側に配置する右側部を有していることを特徴とする請求項１、２又は３に記載の乳幼児感染予防衣。
【請求項５】
布は、左側部と右側部の上端に、それぞれ、紐を横方向に通す紐通し部を設け、
紐は、左右の紐通し部に通し、左右の紐通し部を貫通していることを特徴とする請求項４に記載の乳幼児感染予防衣。
【請求項６】
紐は、左端と右端を結んで輪にし、左右の紐通し部の間に位置する中央部分と布の前側部の上端の間に、保護者の頭が通過する着用口を形成する構成にしていることを特徴とする請求項５に記載の乳幼児感染予防衣。
【請求項７】
紐は、紐通し部に対して紐通し方向に移動可能にし、
紐通し部は、紐通し方向に伸縮可能にし、
保護者と保護者に抱っこされている乳幼児を覆う布の形状や位置を調節可能にしていることを特徴とする請求項５又は６に記載の乳幼児感染予防衣。
【考案の詳細な説明】
【技術分野】
【０００１】
本考案は、乳幼児が病原菌やウイルスに接して感染することを予防する技術に関する。
【背景技術】
【０００２】
病院や診療所などの医療機関の待合室では、病原菌やウイルスの保有者がいて、口から病原菌やウイルスを飛び散らかしていることがある。このような待合室で、乳幼児を母親などの保護者が抱っこして、予防接種や診察の順番を待っていると、病原菌やウイルスを含む飛沫が乳幼児に付着することがある。医療機関の待合室では、乳幼児は、飛沫感染の危険に曝されることになる。
【０００３】
病原菌やウイルスを含む飛沫を防ぐマスクがあるが、乳幼児用のマスクはない。乳幼児は、マスクを付けることを嫌がる。マスクは、乳幼児に保護者が無理やり付けても、乳幼児が剥ぎ取ってしまう。
【先行技術文献】
【特許文献】
【０００４】
【特許文献１】特開２０１０−２７４０８６号公報
【考案の概要】
【考案が解決しようとする課題】
【０００５】
［課  題］
病原菌やウイルスを含む飛沫によって乳幼児が感染することを簡便に予防することが望まれる。簡便な乳幼児感染予防衣の出現が望まれる。
【０００６】
［着  想］
１．医療機関の待合室では、乳幼児は、母親や父親などの保護者の前側に抱っこされている。そこで、保護者が前側に、病原菌やウイルスを含む飛沫を通過させないバリア性の布を垂らし、前側に垂れたバリア性の布で乳幼児を覆うことにした。病原菌やウイルスを含む飛沫は、乳幼児に向って飛んできても、バリア性の布の外面に付着し、乳幼児に付着しない。その布は、上端に付けた紐を保護者の首に掛けて、保護者の前側に留めることにした。布が保護者に抱っこされている乳幼児を覆う状態を維持する構成にする。
【０００７】
即ち、乳幼児感染予防衣は、保護者と保護者に抱っこされている乳幼児の前側に垂らす布と、保護者の首に掛ける紐から構成する。構成が簡単である。
【０００８】
２．乳幼児感染予防衣は、布又は布と紐を不織布製にする。使い捨てにする。感染予防効果が高くなる。素材の不織布には、病原菌やウイルスを含む飛沫に対するバリア性が高くて強度が高い不織布が好ましい。SMS不織布やSMMS不織布が例示される。
【０００９】
なお、SMS不織布は、メルトブロー不織布をスパンボンド不織布で挟んだ３層の積層不織布である。SMMS不織布は、２枚のメルトブロー不織布を積層してスパンボンド不織布で挟んだ４層の積層不織布である。メルトブロー不織布は、極細繊維製でバリア性が高い。スパンボンド不織布は、長繊維製で強度が高い。
【００１０】
３．乳幼児感染予防衣の好ましい具体的構成は、次の通りである。
保護者と保護者に抱っこされている乳幼児の前側に垂らす布は、横方向の幅を、保護者の前側から左右に延びて左腕の後側、右腕の後側に回り込む位の長さにする。縦方向の丈を、保護者の首から下腹部に達する位の長さにする。即ち、布は、横方向を３区分し、保護者の前側に配置する前側部、保護者の左側に配置する左側部と、保護者の右側に配置する右側部を有する。保護者の首に掛ける紐は、布の幅より長くする。
【００１１】
また、保護者の前側に垂らす布に、保護者の首に掛ける紐を付けるに当り、布は、左側部と右側部の上端に、それぞれ、紐を横方向に通す紐通し部を設ける。前側部には、紐通し部を設けない。紐は、布の左右の紐通し部に通す。左右の紐通し部を貫通する。紐は、左端を左側の紐通し部から左側に、右端を右側の紐通し部から右側に突出する。
【００１２】
この乳幼児感染予防衣は、着用準備のため、紐の左端と右端を布の前側部の後側に配して結ぶ。紐を輪にする。そして、輪にした紐は、左右の紐通し部の間に位置する前側の中央部分を、布の前側部の上端から後側に離して、左右の紐通し部の間に位置する後側の結び側部分に近付ける。即ち、布の前側部の上端と紐の中央部分、結び側部分の間には、保護者の頭が通過する着用口を形成する。
【００１３】
乳幼児を抱っこしている保護者が乳幼児感染予防衣を着用するときは、保護者は、片手で乳幼児を抱っこし、他の片手で乳幼児感染予防衣の紐の中央部分と結び側部分を掴む。その片手を動かして、乳幼児感染予防衣の着用口を保護者の頭に通す。紐は、中央部分と結び側部分を保護者の首の後側に掛ける。布は、保護者と乳幼児の前側に垂らす。そして、その片手で、布の左側部と右側部をそれぞれ保護者の左側と右側に配置し、布の前側部を保護者と乳幼児の前側に配置する。すると、保護者に抱っこされている乳幼児は、前側、左側と右側を布で覆われる。乳幼児感染予防衣は、乳幼児を抱っこしている保護者が片手で着用することができる。着用が簡単である。
【００１４】
保護者が乳幼児感染予防衣で覆われている乳幼児の様子を見るときは、片手で、布の前側部の上端部を保護者から前方に遠ざける。保護者の胸と布の前側部の上端部の間に隙間を形成する。その隙間から乳幼児の様子を見る。
【００１５】
保護者に抱っこされている乳幼児が予防接種や診察を受けるときは、乳幼児を覆っている布をめくり上げる。
【００１６】
４．乳幼児感染予防衣は、紐を布上端の左右の紐通し部に対して紐通し方向に移動可能にする。左右の紐通し部は、紐通し方向に伸縮可能にする。蛇腹のようにする。乳幼児感染予防衣は、着用後、保護者と保護者に抱っこされている乳幼児を覆う布の形状や位置を調節することができる。
【００１７】
例えば、左右の紐通し部を紐に対して移動し、紐の中央部分を短くすると、布の前側部の上端位置が高くなる。左側又は右側の紐通し部を短くすると、布の左側部又は右側部の上端が絞られ、左側部又は右側部の上端の幅が短くなる。
【課題を解決するための手段】
【００１８】
１．母親や父親などの保護者に抱っこされている乳幼児が病原菌やウイルスを含む飛沫によって感染することを予防する乳幼児感染予防衣であって、
保護者と保護者に抱っこされている乳幼児の前側に垂らす布と、保護者の首に掛ける紐から構成し、
布は、保護者に抱っこされている乳幼児を覆う形状寸法にし、病原菌やウイルスを含む飛沫を通過させないバリア性にし、
紐は、布が保護者に抱っこされている乳幼児を覆う状態を維持する構成にしていることを特徴とする。
２．上記１の乳幼児感染予防衣において、
布又は布と紐は、不織布製にし、使い捨てにしていることを特徴とする。
３．上記２の乳幼児感染予防衣において、
不織布は、SMS不織布又はSMMS不織布にしていることを特徴とする。
４．上記１、２又は３の乳幼児感染予防衣において、
布は、保護者の前側に配置する前側部、保護者の左側に配置する左側部と、保護者の右側に配置する右側部を有していることを特徴とする。
５．上記４の乳幼児感染予防衣において、
布は、左側部と右側部の上端に、それぞれ、紐を横方向に通す紐通し部を設け、
紐は、左右の紐通し部に通し、左右の紐通し部を貫通していることを特徴とする。
６．上記５の乳幼児感染予防衣において、
紐は、左端と右端を結んで輪にし、左右の紐通し部の間に位置する中央部分と布の前側部の上端の間に、保護者の頭が通過する着用口を形成する構成にしていることを特徴とする。
７．上記５又は６の乳幼児感染予防衣において、
紐は、紐通し部に対して紐通し方向に移動可能にし、
紐通し部は、紐通し方向に伸縮可能にし、
保護者と保護者に抱っこされている乳幼児を覆う布の形状や位置を調節可能にしていることを特徴とする。
【考案の効果】
【００１９】
病原菌やウイルスを含む飛沫によって乳幼児が感染することを簡便に予防することができる。
【図面の簡単な説明】
【００２０】
【図１】本考案の実施形態における乳幼児感染予防衣の展開状態の背面図で、紐の中間を省略した図。
【図２】図１のＡ−Ａ線断面部分拡大図。
【図３】同乳幼児感染予防衣の紐の両端を結んだ状態を示す斜視図。
【図４】同乳幼児感染予防衣の紐の中央部分と布の前側部上端の間に着用口を形成した状態を示す斜視図。
【図５】同乳幼児感染予防衣を着用した状態の正面を示す斜視図。
【図６】同状態の背面と側面を示す斜視図。
【考案を実施するための形態】
【００２１】
実施形態の乳幼児感染予防衣は、図１〜図４に示すように、布１の上端に紐１１を付けている。図５と図６に示すように、母親などの保護者Ｐと保護者Ｐに抱っこされている乳幼児ｂの前側に垂らす布１と、保護者Ｐの首に掛ける紐１１から構成している。
【００２２】
布１は、保護者Ｐに抱っこされている乳幼児ｂを覆う形状寸法にし、病原菌やウイルスを含む飛沫を通過させないバリア性にしている。紐１１は、布１が保護者Ｐに抱っこされている乳幼児ｂを覆う状態を維持する構成にしている。
【００２３】
布１と紐１１は、不織布製にし、使い捨てにしている。不織布は、病原菌やウイルスを含む飛沫に対するバリア性が高くて強度が高いSMS不織布やSMMS不織布にしている。実施例では、SMS不織布にしている。不織布の単位面積当りの質量は、５０ｇ／ｍ2位までにしている。実施例では、２５ｇ／ｍ2にしている。
【００２４】
不織布製の布１は、長方形状にしている。長方形状の布１は、横方向の幅を、保護者Ｐの前側から左右に延びて左腕の後側、右腕の後側に回り込む位の長さにしている。縦方向の丈を、保護者Ｐの首から下腹部に達する位の長さにしている。即ち、長方形状の布１は、横方向を３区分し、保護者Ｐの前側に配置する前側部２、保護者Ｐの左側に配置する左側部３と、保護者Ｐの右側に配置する右側部４を有している。
【００２５】
布１の左側部３と右側部４は、それぞれ、上端に、紐１１を横方向に通す紐通し部５、６を設けている。前側部２には、紐通し部を設けていない。左右の紐通し部５、６は、それぞれ、左側部３、右側部４の上端を折り返して糸７で縫い付けている。横方向に貫通する筒状にしている。
【００２６】
紐１１は、帯状の不織布を長方方向に沿って二つ折りにし、両側の端を内側に折り返して糸１２で縫い付けている。不織布製の紐１１は、布１の幅より長くしている。この紐１１は、図１と図２に示すように、布１の左右の紐通し部５、６に通し、左右の紐通し部５、６を貫通している。紐１１は、左端を左側の紐通し部５から左側に突出し、右端を右側の紐通し部６から右側に突出している。
【００２７】
この乳幼児感染予防衣は、着用準備のため、図３に示すように、紐１１の左端と右端を結んで輪にしておく。そして、輪にした紐１１は、図４に示すように、左右の紐通し部５、６の間に位置する前側の中央部分１３を、布１の前側部２の上端から後側に離して、左右の紐通し部５、６の間に位置する後側の結び側部分１４に近付けておく。即ち、布１の前側部２の上端と紐１１の中央部分１３、結び側部分１４の間には、保護者Ｐの頭が通過する着用口１５を形成しておく。
【００２８】
乳幼児ｂを抱っこしている保護者Ｐが乳幼児感染予防衣を着用するときは、保護者Ｐは、片手で乳幼児ｂを抱っこし、他の片手で乳幼児感染予防衣の紐１１の中央部分１３と結び側部分１４を掴む。その片手を動かして、乳幼児感染予防衣の着用口１５を保護者Ｐの頭に通す。紐１１は、中央部分１３と結び側部分１４を保護者Ｐの首の後側に掛ける。布１は、保護者Ｐと乳幼児ｂの前側に垂らす。そして、その片手で、図５と図６に示すように、布１の左側部３と右側部４をそれぞれ保護者Ｐの左側と右側に配置し、布１の前側部２を保護者Ｐと乳幼児ｂの前側に配置する。すると、保護者Ｐに抱っこされている乳幼児ｂは、前側、左側と右側を布１で覆われる。乳幼児感染予防衣は、乳幼児ｂを抱っこしている保護者Ｐが片手で着用する。
【００２９】
保護者Ｐが乳幼児感染予防衣で覆われている乳幼児ｂの様子を見るときは、片手で、布１の前側部２の上端部を保護者Ｐから前方に遠ざける。図６に示すように、保護者Ｐの胸と布１の前側部２の上端部の間に隙間を形成する。その隙間から保護者Ｐが乳幼児ｂの様子を見下ろす。
【００３０】
保護者Ｐに抱っこされている乳幼児ｂが予防接種や診察を受けるときは、乳幼児ｂを覆っている布１をめくり上げる。
【００３１】
乳幼児感染予防衣は、紐１１を左右の紐通し部５、６に対して紐通し方向に移動可能にしている。左右の紐通し部５、６は、それぞれ、紐通し方向に伸縮可能にしている。蛇腹のようにしている。保護者Ｐと保護者Ｐに抱っこされている乳幼児ｂを覆う布１の形状や位置を調節することができる。
【００３２】
例えば、図４に示すように、左右の紐通し部５、６を縮小して短くし、布１の左側部３と右側部４の上端を絞って上端の幅を短くする。また、図６に示すように、左右の紐通し部５、６を紐１１の中央側に移動し、紐１１の中央部分１３を短くして結び側部分１４を長くし、布１の前側部２の上端位置を高くする。
【００３３】
［変形例］
本考案は、上記の実施形態に限定されない。次のような変形が例示される。
１．上記の実施形態において、布１は、長方形状にしているが、台形状又はその他の四辺形状にする。若しくは、その他の形状にする。
２．上記の実施形態において、不織布は、SMS不織布やSMMS不織布のような３層や４層の積層不織布にしているが、２層の積層不織布又は単層の不織布にする。
３．上記の実施形態において、紐１１は、不織布の縫製品にしているが、合成樹脂成形品の中実又は中空の紐にする。若しくは、その他の材質や構造の紐にする。
【符号の説明】
【００３４】
Ｐ  保護者
ｂ  乳幼児
１  布
２  布の前側部
３  布の左側部
４  布の右側部
５  左側の紐通し部
６  右側の紐通し部
７  糸
１１  紐
１２  糸
１３  紐の中央部分
１４  紐の結び側部分
１５  着用口
【図１】
0003186186.tif 000003
【図２】
0003186186.tif 000004
【図３】
0003186186.tif 000005
【図４】
0003186186.tif 000006
【図５】
0003186186.tif 000007
【図６】
0003186186.tif 000008